(57)【要約】【課題】ユーザに煩わしさを感じさせることなく、無線ＬＡＮ通信を行うことができるようにする。【解決手段】テレビジョン受像機は、可搬型のメモリカード１３を着脱するカードスロット１０を有しており、メモリカード１３には、無線ＬＡＮ接続の設定を行うのに必要な無線ＬＡＮ情報が記録されている。テレビジョン受像機は、カードスロット１０に、メモリカード１３が装着されると、そのメモリカード１３から無線ＬＡＮ情報を読み出し、その無線ＬＡＮ情報を、テレビジョン受像機に設定する。本発明は、例えば、無線ＬＡＮ機能を有するテレビジョン受像機などに適用できる。【選択図】　　　図１
2004096146.tif 000002
【特許請求の範囲】
【請求項１】
他の装置との間で無線通信を行う通信装置であって、
可搬型の記録媒体を着脱する着脱口と、
前記着脱口に装着された前記記録媒体から、所定の無線ネットワークに接続するために設定することが必要な情報である無線通信情報を読み出す記録媒体読み出し手段と、
前記記録媒体から読み出された無線通信情報を、前記通信装置に設定する無線通信情報設定手段と
を備えることを特徴とする通信装置。
【請求項２】
前記通信装置に設定された無線通信情報を変更する無線通信情報変更手段と、
前記無線通信情報変更手段において変更された前記無線通信情報を、前記着脱口に装着された前記記録媒体に記録する記録媒体記録手段と
をさらに備えることを特徴とする請求項１に記載の通信装置。
【請求項３】
前記通信装置に設定された無線通信情報を読み出す無線通信情報読み出し手段と、
前記無線通信情報読み出し手段において読みされた前記無線通信情報を、前記着脱口に装着された前記記録媒体に記録する記録媒体記録手段と
をさらに備えることを特徴とする請求項１に記載の通信装置。
【請求項４】
前記所定の無線ネットワークは、ＩＥＥＥ（Ｉｎｓｔｉｔｕｔｅ　ｏｆ　Ｅｌｅｃｔｒｉｃａｌ　ａｎｄ　Ｅｌｅｃｔｒｏｎｉｃｓ　Ｅｎｇｉｎｅｅｒｓ）８０２．１１の規格に準拠した無線ネットワークである
ことを特徴とする請求項１に記載の通信装置。
【請求項５】
前記無線通信情報は、前記所定の無線ネットワークを識別する情報を含む
ことを特徴とする請求項１に記載の通信装置。
【請求項６】
前記無線通信情報は、無線通信によって送受信されるデータの暗号化に関する情報、または前記他の装置との無線接続の方法に関する情報をさらに含む
ことを特徴とする請求項５に記載の通信装置。
【請求項７】
テレビジョン受像機である
ことを特徴とする請求項１に記載の通信装置。
【請求項８】
他の装置との間で無線通信を行う通信装置の通信制御方法であって、
可搬型の記録媒体を着脱する着脱口に装着された前記記録媒体から、所定の無線ネットワークに接続するために設定することが必要な情報である無線通信情報を読み出す記録媒体読み出しステップと、
前記記録媒体から読み出された無線通信情報を、前記通信装置に設定する無線通信情報設定ステップと
を備えることを特徴とする通信制御方法。
【請求項９】
他の装置との間で無線通信を行う通信装置の通信制御を、コンピュータに行わせるプログラムであって、
可搬型の記録媒体を着脱する着脱口に装着された前記記録媒体から、所定の無線ネットワークに接続するために設定することが必要な情報である無線通信情報を読み出す記録媒体読み出しステップと、
前記記録媒体から読み出された無線通信情報を、前記通信装置に設定する無線通信情報設定ステップと
を備えることを特徴とするプログラム。
【請求項１０】
情報が記録される可搬型の記録媒体であって、
他の装置との間で無線通信を行う通信装置が、所定の無線ネットワークに接続するために設定することが必要な情報である無線通信情報が記録され、
前記通信装置に設けられた着脱口に着脱可能となっている
ことを特徴とする記録媒体。
【発明の詳細な説明】
【０００１】
【発明の属する技術分野】
本発明は、通信装置、通信制御方法、およびプログラム、並びに記録媒体に関し、特に、ユーザに煩わしさを感じさせることなく、無線通信を行う装置間において無線通信を行うことができるようにする通信装置、通信制御方法、およびプログラム、並びに記録媒体に関する。
【０００２】
【従来の技術】
近年、パーソナルコンピュータ等の情報処理装置間を無線ＬＡＮ（Ｌｏｃａｌ　Ａｒｅａ　Ｎｅｔｗｏｒｋ）を用いて接続することが、家庭内においても一般的になってきている。
【０００３】
これを受けて、既存の無線ＬＡＮ技術を備えた装置を装備し、ネットワークを介して、ＷＥＢ等で提供されるマルチメディアコンテンツを受信、再生、表示するテレビジョン受像機が開発されるようになってきている。
【０００４】
ところで、現在、国毎の電波法規制により多少異なるものの、日米を中心にした家庭内で一般的に用いられている無線ＬＡＮ規格は、ＩＥＥＥ８０２．１１（非特許文献１参照）に準拠した２．４ＧＨｚ帯の無線伝送であるＩＥＥＥ８０２．１１ｂ（非特許文献２参照）、あるいはＩＥＥＥ８０２．１１ｇ（非特許文献３参照）や、５ＧＨｚ帯の無線伝送であるＩＥＥＥ８０２．１１ａ（非特許文献４参照）に規定されている。
【０００５】
これらの規格では、各装置を同一ネットワーク内に無線接続するためには、各装置に同一のＳＳＩＤ（Ｓｅｒｖｉｃｅ　Ｓｅｔ　Ｉｄｅｎｔｉｆｉｃａｔｉｏｎ）とよばれるビット列を入力する必要がある。即ち、ＳＳＩＤは、無線ネットワークを識別するための情報で、同一の無線ネットワークに属する装置には、同一のＳＳＩＤを設定する必要がある。
【０００６】
また、業界団体であるＷＥＣＡ（Ｗｉｒｅｌｅｓｓ　Ｅｔｈｅｒｎｅｔ（Ｒ）　Ｃｏｍｐａｔｉｂｉｌｉｔｙ　Ａｌｌｉａｎｃｅ）では、無線ＬＡＮ規格に準拠した無線ＬＡＮ通信を行う各メーカの無線通信装置どうしの互換性を保証するＷｉＦｉ（Ｗｉｒｅｌｅｓｓ　Ｆｉｄｅｌｉｔｙ）認定を取得することを推奨している。そして、このＷｉＦｉ認定を取得するには、ネットワーク内の無線通信装置どうしの通信データを暗号化するためのプロトコルとして、ＷＥＰ（Ｗｉｒｅｄ　Ｅｑｕｉｖａｌｅｎｔ　Ｐｒｉｖａｃｙ）プロトコルを採用することが現状は必須となっている。
【０００７】
ＷＥＰによる暗号化については、その脆弱性を指摘されてはいるものの、一般的には最低限のセキュリティを持たせるために必要であると認識されている。このＷＥＰ暗号化を施した通信を行うには、４０ビットまたは１２８ビットのＷＥＰキーと呼ばれるビット列を各無線通信装置に共通に登録する必要がある。即ち、無線通信装置どうしが、暗号プロトコルを採用して無線通信を行うには、同一の暗号キーを設定する必要がある。
【０００８】
ここで、従来の無線通信装置では、一般に、ユーザが入力した文字列や数値列などから、ＳＳＩＤや暗号キーが生成される。
【０００９】
また、無線ＬＡＮ通信を行う無線通信装置の中には、アクセスポイントと呼ばれる無線の中継装置となる無線通信装置がある。この中継装置では、アドホック（Ａｄ−ｈｏｃ）と呼ばれるピアトゥピア（ｐｅｅｒ−ｔｏ−ｐｅｅｒ）で、２つの無線通信装置どうしの間をＬＡＮ接続する為の動作モードと、インフラストラクチャ（Ｉｎｆｒａｓｔｒｕｃｔｕｒｅ）と呼ばれる複数（２以上）の無線通信装置どうしの間でＬＡＮ接続する為の動作モードを、ユーザが使用状況に応じて選択して設定する必要がある。
【００１０】
従って、無線通信装置を用いて、無線ＬＡＮネットワークを構築する場合、ユーザは、ＳＳＩＤ、暗号キー、および動作モードを入力する必要がある。
【００１１】
なお、通信プロトコルとしてＩＰ（Ｉｎｔｅｒｎｅｔ　Ｐｒｏｔｏｃｏｌ）を採用する場合は、ネットワークに参加するために、既にネットワークに参加している装置と同一のサブネットマスク内にある、ユニークなＩＰアドレスを設定する必要がある。但し、近年、このＩＰアドレスの設定に関しては、ＤＨＣＰ（Ｄｙｎａｍｉｃ　Ｈｏｓｔ　Ｃｏｎｆｉｇｕｒａｔｉｏｎ　Ｐｒｏｔｏｃｏｌ）や、ＡｕｔｏＩＰ、ＵＰｎＰ（Ｕｎｉｖｅｒｓａｌ　Ｐｌｕｇ　ａｎｄ　Ｐｌａｙ）などと呼ばれる、ＩＰアドレスを自動設定できる仕組みが開発され、徐々に広まりつつあり、ユーザが設定する必要がなくなりつつある。
【００１２】
【非特許文献１】
ＩＥＥＥ　ＳＴＤ８０２．１１−１９９７　Ｐａｒｔ１１：Ｗｉｒｅｌｅｓｓ　ＬＡＮ　Ｍｅｄｉｕｍ　Ａｃｃｅｓｓ　Ｃｏｎｔｒｏｌ（ＭＡＣ）　ａｎｄＰｈｙｓｉｃａｌ　Ｌａｙｅｒ（ＰＨＹ）　ｓｐｅｃｉｆｉｃａｔｉｏｎｓ
【非特許文献２】
ＩＥＥＥ　ＳＴＤ８０２．１１ｂ−１９９９　Ｐａｒｔ１１：Ｗｉｒｅｌｅｓｓ　ＬＡＮ　Ｍｅｄｉｕｍ　Ａｃｃｅｓｓ　Ｃｏｎｔｒｏｌ（ＭＡＣ）　ａｎｄ　Ｐｈｙｓｉｃａｌ　Ｌａｙｅｒ（ＰＨＹ）　ｓｐｅｃｉｆｉｃａｔｉｏｎｓ：　Ｈｉｇｈｅｒ−Ｓｐｅｅｄ　Ｐｈｙｓｉｃａｌ　Ｌａｙｅｒ　Ｅｘｔｅｎｓｉｏｎ　ｉｎ　ｔｈｅ　２．４ＧＨｚ　Ｂａｎｄ
【非特許文献３】
ＩＥＥＥ　ＳＴＤ８０２．１１ｇ−２００１　Ｄｒａｆｔ
【非特許文献４】
ＩＥＥＥ　ＳＴＤ８０２．１１ａ−１９９９　Ｐａｒｔ１１：Ｗｉｒｅｌｅｓｓ　ＬＡＮ　Ｍｅｄｉｕｍ　Ａｃｃｅｓｓ　Ｃｏｎｔｒｏｌ（ＭＡＣ）　ａｎｄ　Ｐｈｙｓｉｃａｌ　Ｌａｙｅｒ（ＰＨＹ）　ｓｐｅｃｉｆｉｃａｔｉｏｎｓ：　Ｈｉｇｈｅｒ−Ｓｐｅｅｄ　Ｐｈｙｓｉｃａｌ　Ｌａｙｅｒ　ｉｎ　ｔｈｅ５ＧＨｚ　Ｂａｎｄ
【００１３】
【発明が解決しようとする課題】
上述したように、無線通信装置を、無線ＬＡＮに接続するには、ユーザが、ＳＳＩＤ、暗号キー、および動作モードを入力する必要がある。
【００１４】
従って、例えば、無線ＬＡＮ機能を内蔵するテレビジョン受像機である無線通信装置を、既に構築されている無線ＬＡＮネットワークに接続する場合でも、ユーザが接続しようとする無線ＬＡＮネットワークに設定してあるＳＳＩＤや暗号キーを生成するための文字列や数値列を調べ、同じ文字列や数値列をテレビジョン受像機にも入力、設定しなければならず、ユーザに煩わしさを感じさせる課題があった。
【００１５】
さらに、テレビジョン受像機は、簡便な文字入力手段を持たないため、例えば、画面上に表示されたソフトウェアキーボードのようなユーザにとって面倒な入力手段を操作して、ＳＳＩＤや暗号キー（あるいは、それらを生成するための文字列や数値列）を入力する必要があり、不便であった。
【００１６】
また、逆に、無線ＬＡＮ機能を内蔵するテレビジョン受像機において、ＳＳＩＤや暗号キーを生成するための文字列や数値列を変更した場合には、そのテレビジョン受像機が接続している無線ネットワークにおけるすべての無線通信装置についても、ユーザが、ＳＳＩＤや暗号キーを手動で設定し直さなければならず、やはり、ユーザに煩わしさを感じさせる課題があった。
【００１７】
本発明は、このような状況に鑑みてなされたものであり、ユーザに、無線ＬＡＮに関する高度な知識と面倒な入力作業を強要せずに、無線ＬＡＮ機能を内蔵するテレビジョン受像機等の無線通信装置を、既存の無線ＬＡＮネットワークに接続すること等ができるようにするものである。
【００１８】
【課題を解決するための手段】
本発明の通信装置は、可搬型の記録媒体を着脱する着脱口と、着脱口に装着された記録媒体から、所定の無線ネットワークに接続するために設定することが必要な情報である無線通信情報を読み出す記録媒体読み出し手段と、記録媒体から読み出された無線通信情報を、通信装置に設定する無線通信情報設定手段とを備えることを特徴とする。
【００１９】
本発明の通信制御方法は、可搬型の記録媒体を着脱する着脱口に装着された記録媒体から、所定の無線ネットワークに接続するために設定することが必要な情報である無線通信情報を読み出す記録媒体読み出しステップと、記録媒体から読み出された無線通信情報を、通信装置に設定する無線通信情報設定ステップとを備えることを特徴とする。
【００２０】
本発明のプログラムは、可搬型の記録媒体を着脱する着脱口に装着された記録媒体から、所定の無線ネットワークに接続するために設定することが必要な情報である無線通信情報を読み出す記録媒体読み出しステップと、記録媒体から読み出された無線通信情報を、通信装置に設定する無線通信情報設定ステップとを備えることを特徴とする。
【００２１】
本発明の記録媒体は、他の装置との間で無線通信を行う通信装置が、所定の無線ネットワークに接続するために設定することが必要な情報である無線通信情報が記録され、通信装置に設けられた着脱口に着脱可能となっていることを特徴とする。
【００２２】
本発明の通信装置、通信制御方法、およびプログラムにおいては、可搬型の記録媒体を着脱する着脱口に装着された記録媒体から、所定の無線ネットワークに接続するために設定することが必要な情報である無線通信情報が読み出され、その無線通信情報が、通信装置に設定される。
【００２３】
本発明の記録媒体においては、他の装置との間で無線通信を行う通信装置が、所定の無線ネットワークに接続するために設定することが必要な情報である無線通信情報が記録され、通信装置に設けられた着脱口に着脱可能となっている。
【００２４】
【発明の実施の形態】
図１は、本発明を適用したディジタルテレビジョン受像機の一実施の形態の構成例を示すブロック図であり、図２は、そのテレビジョン受像機の外観構成例を示す正面図である。
【００２５】
アンテナ１は、例えば、地上波や、ＢＳ（Ｂｒｏａｄｃａｓｔｉｎｇ　Ｓａｔｅｌｌｉｔｅ），ＣＳ（Ｃｏｍｍｕｎｉｃａｔｉｏｎ　Ｓａｔｅｌｌｉｔｅ）のテレビジョン放送信号を受信し、ＴＶ（Ｔｅｌｅｖｉｓｉｏｎ）チューナ２に供給する。ＴＶチューナ２は、制御ＣＰＵ（Ｃｅｎｔｒａｌ　Ｐｒｏｃｅｓｓｉｎｇ　Ｕｎｉｔ）１１の制御にしたがい、アンテナ１からのテレビジョン放送信号から、所定のチャンネルの信号を検波することにより抽出し、復調部３に供給する。復調部３は、制御ＣＰＵ１１の制御にしたがい、ＴＶチューナ２からのテレビジョン放送信号を復調し、デマルチプレクサ４に供給する。
【００２６】
デマルチプレクサ４は、復調部３から供給されるテレビジョン放送信号が、例えば、ＢＳディジタル放送やＣＳディジタル放送などのディジタル放送の信号である場合、制御ＣＰＵ１１の制御にしたがい、その信号を、ＭＰＥＧ（Ｍｏｖｉｎｇ　Ｐｉｃｔｕｒｅ　Ｅｘｐｅｒｔｓ　Ｇｒｏｕｐ）符号化された画像信号（符号化画像信号）と音声信号（符号化音声信号）とに分離し、符号化画像信号を、画像復号部５に供給するとともに、符号化音声信号を、音声復号部６に供給する。
【００２７】
なお、デマルチプレクサ４は、例えば、ＲＡＭ（Ｒａｎｄｏｍ　Ａｃｃｅｓｓ　Ｍｅｍｏｒｙ）１２からバスを介して、画像信号や音声信号が供給された場合も、その画像信号と音声信号を、画像復号部５と音声復号部６にそれぞれ供給する。
【００２８】
画像復号部５は、制御ＣＰＵ１１の制御にしたがい、デマルチプレクサ４からの符号化画像信号をＭＰＥＧ復号することにより伸張し、画像信号に復号する。画像復号部５は、さらに、復号した画像信号を、例えばＮＴＳＣ（Ｎａｔｉｏｎａｌ　Ｔｅｌｅｖｉｓｉｏｎ　Ｓｙｓｔｅｍ　Ｃｏｍｍｉｔｔｅｅ）方式などの画像信号に変換し、表示デバイスとしてのＣＲＴ（Ｃａｔｈｏｄｅ　Ｒａｙ　Ｔｕｂｅ）１４に供給して表示させる。
【００２９】
音声復号部６は、制御ＣＰＵ１１の制御にしたがい、デマルチプレクサ４からの符号化音声信号をＭＰＥＧ復号し、ディジタル音声信号を得て、Ｄ／Ａ（Ｄｉｇｉｔａｌ／Ａｎａｌｏｇ）変換部１５に供給する。Ｄ／Ａ変換部１５は、音声復号部６からのディジタル音声信号をＤ／Ａ変換することにより、アナログ音声信号とし、スピーカ１６に供給して出力させる。
【００３０】
ここで、本実施の形態の一例では、図２に示すように、テレビジョン受像機において、ＣＲＴ１４を左右から挟むように、Ｌ（Ｌｅｆｔ）チャンネルとＲ（Ｒｉｇｈｔ）チャンネル用のスピーカ１６が設けられている。
【００３１】
アンテナ７は、無線物理層処理部８が出力するＬＡＮのフレームを、電波として放射するとともに、他の無線ＬＡＮ通信が可能な無線ＬＡＮ装置から送信されてくる電波を受信し、無線物理層処理部８に供給する。
【００３２】
無線物理層処理部８は、無線ＭＡＣ（Ｍｅｄｉａ　Ａｃｃｅｓｓ　Ｃｏｎｔｒｏｌ）層処理部９（または制御ＣＰＵ１１）から供給されるフレームについて、物理層の処理を施し、アンテナ７に供給する。即ち、無線物理層処理部８は、例えば、ＩＥＥＥ８０２．１１ａの規格に準拠した無線通信を行う場合は、無線ＭＡＣ層処理部９から供給されるフレームをＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘｉｎｇ）変調し、アンテナ７に供給する。また、無線物理層処理部８は、例えば、ＩＥＥＥ８０２．１１ｂの規格に準拠した無線通信を行う場合は、無線ＭＡＣ層処理部９から供給されるフレームをＤＳＳＳ（ＤｉｒｅｃｔＳｅｑｕｅｎｃｅ　Ｓｐｅｃｔｒｕｍ　Ｓｐｒｅａｄ）方式で変調し、アンテナ７に供給する。
【００３３】
また、無線物理層処理部８は、アンテナ７から供給される信号について、物理層の処理を施し、無線ＭＡＣ層処理部９（または制御ＣＰＵ１１）に供給する。即ち、無線物理層処理部８は、アンテナ７から供給される信号をＯＦＤＭ復調またはＤＳＳＳ方式で復調し、その結果得られるフレームを、無線ＭＡＣ層処理部９に供給する。
【００３４】
無線ＭＡＣ層処理部９は、制御ＣＰＵ１１から供給されるＩＰパケットについて、無線ＭＡＣ層の処理を施し、無線物理層処理部８に供給する。即ち、無線ＭＡＣ層処理部９は、制御ＣＰＵ１１から供給されるＩＰパケットを、例えば、ＩＥＥＥ８０２．１１ａ、ＩＥＥＥ８０２．１１ｂ、またはＩＥＥＥ８０２．１１ｇの規格に準拠したフレームにフレーム化し、無線物理層処理部８に供給する。
【００３５】
また、無線ＭＡＣ層処理部９は、無線物理層処理部８から供給されるフレームについて、無線ＭＡＣ層の処理を施し、制御ＣＰＵ１１に供給する。即ち、無線ＭＡＣ層処理部９は、例えば、ＩＥＥＥ８０２．１１ａ、ＩＥＥＥ８０２．１１ｂ、またはＩＥＥＥ８０２．１１ｇの規格に準拠した方法で、無線物理処理部８から供給されるフレームを分解してＩＰパケットを構成し、制御ＣＰＵ１１に供給する。
【００３６】
なお、無線ＭＡＣ層処理部９で行われるフレーム化とフレーム分解は、制御ＣＰＵ１１で行うようにすることが可能である。この場合、無線物理層処理部８と制御ＣＰＵ１１との間では、無線ＭＡＣ層処理部９を経由せずに、データをやりとりすることができる。
【００３７】
カードスロット１０には、メモリカード１３を着脱することができるようになっている。カードスロット１０は、バスに接続されており、従って、カードスロット１０に装着されたメモリカード１３に対しては、バスを介して、データの読み書きを行うことができるようになっている。
【００３８】
ここで、本実施の形態では、カードスロット１０は、図２に示すように、テレビジョン受像機の正面におけるＣＲＴ１４の下部に設けられており、これにより、カードスロット１０に対するメモリカード１３の着脱を、ユーザが容易に行うことができるようになっている。なお、図１および図２では、１つのカードスロット１０を設けてあるが、テレビジョン受像機には、複数のカードスロットを設けることが可能である。
【００３９】
制御ＣＰＵ１１は、ＥＥＰＲＯＭ（Ｅｌｅｃｔｒｉｃａｌｌｙ　Ｅｒａｓａｂｌｅ　Ｐｒｏｇｒａｍｍａｂｌｅ　Ｒｅａｄ　Ｏｎｌｙ　Ｍｅｍｏｒｙ）１７に記録されているプログラムをＲＡＭ１２に展開（ロード）して実行することにより、テレビジョン受像機を構成する各ブロックを制御するとともに、各種の処理を行う。即ち、制御ＣＰＵ１１は、例えば、ＲＡＭ１２に記憶されたデータを読み出し、ＩＰパケットにパケット化して、無線ＭＡＣ層処理部９に供給する。また、制御ＣＰＵ１１は、例えば、無線ＭＡＣ層処理部９から供給されるＩＰパケットをデコードし、そのデコードの結果得られるデータを、ＲＡＭ１２に供給する。さらに、制御ＣＰＵ１１は、無線ＬＡＮ通信を行うための各種の設定等を行う。
【００４０】
ここで、本実施の形態では、制御ＣＰＵ１１が、上述したように、ＩＰパケットを生成することから、無線ＬＡＮの通信プロトコルとして、ＩＰが採用されている。但し、通信プロトコルとしては、ＩＰ以外を採用することが可能である。
【００４１】
ＲＡＭ１２には、無線ＬＡＮ通信を行うのに必要な情報が記憶されることにより設定される。また、ＲＡＭ１２には、ＥＥＰＲＯＭ１７から読み出されたプログラムが展開される。さらに、ＲＡＭ１２は、制御ＣＰＵ１１が処理を行う上で必要なデータを一時記憶する。
【００４２】
メモリカード１３は、可搬型で小型の半導体メモリで、カードスロット１０に対して、容易に着脱することができるように構成されている。メモリカード１３には、無線ＬＡＮ通信を行うのに設定することが必要なＳＳＩＤ、暗号キー、動作モード、さらには、ネットマスク（サブネットマスク）、ＩＰアドレスが記憶（記録）される。
【００４３】
ＥＥＰＲＯＭ１７は、テレビジョン受像機が電源オフとされた状態でも保持する必要のある情報を記憶する。即ち、ＥＥＰＲＯＭ１７は、例えば、制御ＣＰＵ１１が実行するプログラムを記憶している。また、ＥＥＰＲＯＭ１７は、無線ＬＡＮ通信を行うのに必要なＳＳＩＤ、暗号キー、動作モード、ネットマスク、ＩＰアドレスなどの各種の情報を記憶する。
【００４４】
以上のように構成されるテレビジョン受像機においては、次のようにして、無線ＬＡＮ通信が行われる。
【００４５】
即ち、無線ＬＡＮ通信を行うのに必要な情報が、ＥＥＰＲＯＭ１７に記憶されている場合には、制御ＣＰＵ１１は、ＥＥＰＲＯＭ１７から無線ＬＡＮ通信を行うのに必要な情報を読み出し、ＲＡＭ１２に記憶させることにより設定する。以降は、制御ＣＰＵ１１が、ＲＡＭ１２に設定された情報を参照し、無線ＬＡＮ通信が行われる。
【００４６】
一方、無線ＬＡＮ通信を行うのに必要な情報が、ＥＥＰＲＯＭ１７に記憶されていない場合や、無線ＬＡＮ通信を行うのに必要な情報が変更された場合、さらには、接続先の無線ＬＡＮネットワークが、ユーザからの指示などによって変更された場合、制御ＣＰＵ１１は、接続したい無線ＬＡＮネットワークに接続するのに必要な情報が記録されたメモリカード１３の、カードスロット１０への装着を要求するメッセージを、ＣＲＴ１４またはスピーカ１６から出力させる。
【００４７】
そして、ユーザが、メモリカード１３を、カードスロット１０に装着すると、制御ＣＰＵ１１は、メモリカード１３から情報を読み出し、ＲＡＭ１２に設定する。以降は、制御ＣＰＵ１１が、ＲＡＭ１２に設定された情報を参照し、所望の無線ＬＡＮネットワークに接続する。さらに、制御ＣＰＵ１１には、例えば、メモリカード１３から読み出した情報を、ＥＥＰＲＯＭ１７に記憶させるようにすることができる。この場合、次回の無線ＬＡＮネットワークの接続時においては、メモリカード１３を、カードスロット１０に装着しなくても、ＥＥＰＲＯＭ１７から、無線ＬＡＮネットワークの接続に必要な情報（無線ＬＡＮ通信に必要な情報）を読み出すことができる。
【００４８】
また、ユーザが、図示せぬリモートコマンダ（以下、適宜、リモコンという）を操作することにより、テレビジョン受像機に設定されているＳＳＩＤや暗号キーなどを変更した場合は、制御ＣＰＵ１１に、その変更された情報を、カードスロット１０に装着されたメモリカード１３に書き込ませることができる。この場合、メモリカード１３を、図１のテレビジョン受像機と同様の無線ＬＡＮ通信機能を有する他の無線通信装置に装着し、そのメモリカード１３に記憶された情報にしたがって、無線ＬＡＮ通信の設定を行うことにより、その無線通信装置は、テレビジョン受像機が接続しているのと同一の無線ＬＡＮネットワークに接続することができる。
【００４９】
次に、図３は、メモリカード１３の論理構造を示している。
【００５０】
メモリカード１３については、そのファイルシステムとして、例えば、ＦＡＴ（Ｆｉｌｅ　Ａｌｌｏｃａｔｉｏｎ　Ｔａｂｌｅ）システムが採用されている。なお、メモリカード１３について、どのようなファイルシステムを採用するかは、特に限定されるものではない。
【００５１】
図３の実施の形態では、ルートディレクトリｒｏｏｔの１つ下位のディレクトリとして、ディレクトリＤｉｒＡとＣｏｍｍｕｎｉｃａｔｉｏｎが設けられている。また、ディレクトリＤｉｒＡの１つ下位のディレクトリとして、ディレクトリＤｉｒＢが設けられている。さらに、ディレクトリＣｏｍｍｕｎｉｃａｔｉｏｎの１つ下位のディレクトリとして、ディレクトリＷｉｒｅｌｅｓｓが設けられている。
【００５２】
メモリカード１３を、どのようなディレクトリ構成とするかは、特に限定されるものではないが、図３の実施の形態では、通信関係の情報が格納されるディレクトリとして、ルートディレクトリｒｏｏｔの１つ下位階層に、例えばＣｏｍｍｕｎｉｃａｔｉｏｎ等の名称のディレクトリを設けることが必須となっている。さらに、図３の実施の形態では、通信関係の情報のうちの無線ＬＡＮ関係の情報が格納されるディレクトリとして、ディレクトリＣｏｍｍｕｎｉｃａｔｉｏｎの１つ下位階層に、例えばＷｉｒｅｌｅｓｓ等の名称のディレクトリを設けることが必須となっている。
【００５３】
そして、ディレクトリＷｉｒｅｌｅｓｓには、ＩＰ情報ファイルと無線ＬＡＮ情報ファイルが格納されるようになっている。
【００５４】
ＩＰ情報ファイルには、通信プロトコルＩＰによる通信を行うのに必要なＩＰ情報としてのＩＰアドレスとネットマスク（サブネットマスク）などが記述される。無線ＬＡＮ情報ファイルには、無線ＬＡＮ通信を行うのに必要な無線ＬＡＮ情報としてのＳＳＩＤ、暗号キー、および動作モードが記述される。
【００５５】
図４は、図３の無線ＬＡＮ情報ファイルの具体例を示している。
【００５６】
無線ＬＡＮ情報ファイルのファイル名としては、あらかじめ決められたファイル名である、例えば、”ＷｉｒｅｌｅｓｓＣｏｎｆｉｇ．ｔｘｔ”が採用されている。上述したように、無線ＬＡＮ情報ファイルが格納されるディレクトリは、／ｒｏｏｔ／Ｃｏｍｍｕｎｉｃａｔｉｏｎ／Ｗｉｒｅｌｅｓｓ／で、あらかじめ決められており、無線ＬＡＮ情報ファイルのファイル名も、”ＷｉｒｅｌｅｓｓＣｏｎｆｉｇ．ｔｘｔ”に、あらかじめ決められているから、メモリカード１３が装着可能な図１のテレビジョン受像機等の装置では、／ｒｏｏｔ／Ｃｏｍｍｕｎｉｃａｔｉｏｎ／Ｗｉｒｅｌｅｓｓ／ＷｉｒｅｌｅｓｓＣｏｎｆｉｇ．ｔｘｔにアクセスしさえすれば、無線ＬＡＮ情報を得ることができる。
【００５７】
なお、無線ＬＡＮ情報ファイルと同様に、図３に示したＩＰ情報ファイルのファイル名も、あらかじめ決められており、従って、メモリカード１３が装着可能な図１のテレビジョン受像機等の装置では、無線ＬＡＮ情報と同様に、ＩＰ情報も得ることができる。
【００５８】
無線ＬＡＮ情報ファイルには、図４に示すように、無線ＬＡＮ情報としてのＳＳＩＤ、暗号キー、および動作モードが記述される。
【００５９】
ここで、無線ＬＡＮ情報ファイルにおいて、ＳＳＩＤは、そのＳＳＩＤによって識別される無線ＬＡＮネットワークに付された名前（ネットワーク名）と対応付けて記述される。
【００６０】
また、無線ＬＡＮ情報ファイルにおいて、動作モードについては、ｐｅｅｒ−ｔｏ−ｐｅｅｒモードで通信を行うか、またはＩｎｆｒａｓｔｒｕｃｔｕｒｅモードで通信を行うかが記述される。
【００６１】
さらに、無線ＬＡＮ情報ファイルにおいて、暗号キーについては、暗号キーによる暗号化を、有効とするか、または無効とするかが記述される。さらに、暗号キーによる暗号化を有効とする場合には、その暗号キーのキー長と、暗号キーをアスキーコードまたは１６進数のうちのいずれとするか、および暗号キーとなる文字列が記述される。
【００６２】
次に、図５を参照して、図１のテレビジョン受像機を、既存の無線ＬＡＮネットワークに接続する手順について説明する。
【００６３】
なお、以下においては、無線ＬＡＮ通信を行う際の通信プロトコルとして、例えば、ＩＰを採用するものとして、説明を行う。
【００６４】
図５において、例えば、パーソナルコンピュータ等の無線ＬＡＮ装置３２と３３は、無線ＬＡＮネットワーク３１を構成している。従って、無線ＬＡＮ装置３２と３３では、同一の無線ＬＡＮネットワーク３１に接続するために、同一の無線ＬＡＮ情報、即ち、同一のＳＳＩＤ、同一の暗号キー、同一の動作モードが設定されている。さらに、無線ＬＡＮ装置３２と３３それぞれには、無線ＬＡＮネットワーク３１を介してＩＰ通信を行うためのＩＰ情報、即ち、同一のネットマスクと、そのネットマスクによって定められるサブネットに属するユニークなＩＰアドレスが設定されている。
【００６５】
いま、例えば、無線ＬＡＮによる通信を行うのに何の設定もされていない図１のテレビジョン受像機を、無線ＬＡＮネットワーク３１に参加させる場合には、ユーザは、メモリカード１３を、無線ＬＡＮ装置３２のカードスロット３４に装着する。
【００６６】
即ち、無線ＬＡＮネットワーク３１を構成している無線ＬＡＮ装置３２は、メモリカード１３の着脱が可能なカードスロット３４を有しており、ユーザは、そのカードスロット３４に、メモリカード１３を装着する。
【００６７】
なお、図５の実施の形態では、無線ＬＡＮ装置３３も、メモリカード１３の着脱が可能なカードスロット３５を有している。この場合、メモリカード１３は、無線ＬＡＮ装置３２のカードスロット３４ではなく、無線ＬＡＮ装置３３のカードスロット３５に装着しても良い。
【００６８】
カードスロット３４にメモリカード１３が装着された無線ＬＡＮ装置３２では、自身に設定されている無線ＬＡＮ情報とＩＰ情報が、メモリカード１３に書き込まれる。
【００６９】
なお、無線ＬＡＮ装置３２において、メモリカード１３に書き込まれるＩＰ情報には、例えば、無線ＬＡＮネットワーク３１に接続している装置すべてのＩＰアドレスが含まれる。従って、図５の実施の形態では、無線ＬＡＮ装置３２において、メモリカード１３に書き込まれるＩＰ情報には、無線ＬＡＮ装置３２と３３それぞれのＩＰアドレスが含まれる。
【００７０】
ここで、無線ＬＡＮネットワーク３１を構成している無線ＬＡＮ装置３２と３３それぞれは、ＩＰ通信を行うときの相手を特定するために、その無線ＬＡＮネットワーク３１を構成しているすべての無線ＬＡＮ装置、即ち、図５では、無線ＬＡＮ装置３２および３３のＩＰアドレスを認識している。無線ＬＡＮ装置３２は、このように認識している無線ＬＡＮ装置３２と３３のＩＰアドレスを、ＩＰ情報として、メモリカード１３に書き込む。
【００７１】
その後、ユーザは、無線ＬＡＮ装置３２のカードスロット３４からメモリカード１３を取り出し、図１のテレビジョン受像機のカードスロット１０に装着する。図１のテレビジョン受像機では、カードスロット１０に装着されたメモリカード１３から、無線ＬＡＮ装置３２によって書き込まれた無線ＬＡＮ情報とＩＰ情報を読み出し、その無線ＬＡＮ情報とＩＰ情報を用いて、無線ＬＡＮ接続とＩＰ通信に必要な設定を行う。
【００７２】
これにより、図１のテレビジョン受像機は、無線ＬＡＮネットワーク３１を介して、無線ＬＡＮ装置３２や３３と通信することが可能となる。
【００７３】
なお、以上のようにして、図１のテレビジョン受像機が、無線ＬＡＮネットワーク３１に接続することができるようになった後は、そのカードスロット１０に、メモリカード１３を装着し、テレビジョン受像機に設定されている無線ＬＡＮ情報とＩＰ情報を、メモリカード１３に書き込むことができる。
【００７４】
この場合、例えば、無線ＬＡＮ装置３３が、無線ＬＡＮによる通信を行うのに何の設定もされていないとして、そのカードスロット３５に、メモリカード１３を装着することにより、無線ＬＡＮ装置３３において、図１のテレビジョン受像機における場合と同様に、メモリカード１３に記録された無線ＬＡＮ情報とＩＰ情報を用いて、無線ＬＡＮ接続とＩＰ通信に必要な設定を行うことができる。これにより、無線ＬＡＮによる通信を行うのに何の設定もされていなかった無線ＬＡＮ装置３３も、無線ＬＡＮネットワーク３１に接続することが可能となる。
【００７５】
次に、図５で説明したように、図１のテレビジョン受像機においては、無線ＬＡＮによる通信を行うのに何の設定もされていない場合に、メモリカード１３を、カードスロット１０に装着することで、無線ＬＡＮによる通信を行うための設定が行われる。
【００７６】
そこで、図６および図７のフローチャートを参照して、図１のテレビジョン受像機で行われる、無線ＬＡＮによる通信を行うための無線ＬＡＮ設定処理について説明する。
【００７７】
例えば、ユーザが、リモコンを操作すること等によって、テレビジョン受像機の電源をオンにすると、あるいは、無線ＬＡＮ接続を要求すると、制御ＣＰＵ１１は、ＥＥＰＲＯＭ１７に記憶されているプログラムのうちの、無線ＬＡＮ設定処理を行うプログラムを、ＲＡＭ１２に展開して実行することにより、以下の無線ＬＡＮ設定処理を行う。
【００７８】
即ち、無線ＬＡＮ設定処理では、まず最初に、ステップＳ１において、制御ＣＰＵ１１は、ＥＥＰＲＯＭ１７に、無線ＬＡＮ情報が記憶されているかどうかを判定する。ステップＳ１において、ＥＥＰＲＯＭ１７に、無線ＬＡＮ情報が記憶されていると判定された場合、即ち、例えば、テレビジョン受像機が、過去に、無線ＬＡＮネットワークに接続されたことがあり、その接続に用いられた無線ＬＡＮ情報が、ＥＥＰＲＯＭ１７に記憶されている場合、ステップＳ２乃至Ｓ５をスキップして、ステップＳ６に進み、制御ＣＰＵ１１は、ＥＥＰＲＯＭ１７に記憶されている無線ＬＡＮ情報のＳＳＩＤを参照することにより、そのＳＳＩＤに対応付けられている無線ＬＡＮネットワークのネットワーク名（図４）の一覧を、ＣＲＴ１４に表示させ、ステップＳ７に進む。
【００７９】
即ち、ＥＥＰＲＯＭ１７には、１つの無線ＬＡＮネットワークに関する無線ＬＡＮ情報だけでなく、複数の無線ＬＡＮネットワークに関する無線ＬＡＮ情報が記憶されている場合があり、ステップＳ６では、ＥＥＰＲＯＭ１７に無線ＬＡＮ情報が記憶されているすべての無線ＬＡＮネットワークのネットワーク名が表示される。
【００８０】
一方、ステップＳ１において、ＥＥＰＲＯＭ１７に無線ＬＡＮ情報が記憶されていないと判定された場合、即ち、例えば、テレビジョン受像機の購入直後であり、テレビジョン受像機が、過去に、無線ＬＡＮネットワークに接続されたことがなく、無線ＬＡＮ情報がＥＥＰＲＯＭ１７に記憶されていない場合、ステップＳ２に進み、制御ＣＰＵ１１は、メモリカード１３の、カードスロット１０への装着を要求するメモリカード装着要求メッセージ（例えば、「無線ＬＡＮ情報が記録されたメモリカードを挿入して下さい」など）を生成し、例えば、図８に示すように、ＣＲＴ１４に画像として表示させ、あるいは、スピーカ１６から音声で出力させる。
【００８１】
そして、ステップＳ３に進み、制御ＣＰＵ１１は、メモリカード１３が、カードスロット１０に装着されたか否かを判定する。ステップＳ３において、メモリカード１３が、カードスロット１０に装着されていないと判定された場合、ステップＳ２に戻り、以下、同様の処理が繰り返される。
【００８２】
また、ステップＳ３において、メモリカード１３が、カードスロット１０に装着されたと判定された場合、ステップＳ４に進み、制御ＣＰＵ１１は、カードスロット１０に装着されたメモリカード１３に、無線ＬＡＮ情報が記録されているかどうかを判定する。
【００８３】
ここで、メモリカード１３に、無線ＬＡＮ情報が記録されているかどうかは、図３に示したように、メモリカード１３のディレクトリ／ｒｏｏｔ／Ｃｏｍｍｕｎｉｃａｔｉｏｎ／Ｗｉｒｅｌｅｓｓ／を参照し、そこに、無線ＬＡＮ情報ファイル”ＷｉｒｅｌｅｓｓＣｏｎｆｉｇ．ｔｘｔ”があるかどうかによって判断することができる。
【００８４】
ステップＳ４において、メモリカード１３に、無線ＬＡＮ情報が記録されていないと判定された場合、ステップＳ５に進み、制御ＣＰＵ１１は、メモリカード１３への、無線ＬＡＮ情報の記録を要求するメッセージを生成し、ＣＲＴ１４に表示させ（あるいは、スピーカ１６から出力させ）、ステップＳ２に戻る。
【００８５】
ここで、ステップＳ５において、ＣＲＴ１４に表示されるメッセージは、例えば、既存の無線ＬＡＮネットワークを構成している無線ＬＡＮ装置に、メモリカード１３を装着し、後述する無線ＬＡＮ情報処理を実行することにより、無線ＬＡＮ情報をメモリカード１３に記録することを要求するものであり、このメッセージを見たユーザは、例えば、図５に示したように、無線ＬＡＮ装置３２と３３によって無線ＬＡＮネットワーク３１が構成されている場合には、テレビジョン受像機のスロット１０からメモリカード１３を抜き、無線ＬＡＮ装置３２のカードスロット３４（または無線ＬＡＮ装置３３のカードスロット３５）に、メモリカード１３を装着して、後述する無線ＬＡＮ情報処理を、無線ＬＡＮ装置３２（または３３）に行わせ、メモリカード１３に、無線ＬＡＮ情報を書き込む。そして、ユーザが、その無線ＬＡＮ情報が書き込まれたメモリカード１３を、テレビジョン受像機のカードスロット１０に装着することにより、ステップＳ４では、メモリカード１３に、無線ＬＡＮ情報が記録されていると判定される。
【００８６】
ステップＳ４において、メモリカード１３に、無線ＬＡＮ情報が記録されていると判定された場合、ステップＳ６に進み、制御ＣＰＵ１１は、メモリカード１３に記憶されている無線ＬＡＮ情報のＳＳＩＤを参照することにより、そのＳＳＩＤに対応付けられている無線ＬＡＮネットワークのネットワーク名（図４）の一覧を、ＣＲＴ１４に表示させ、ステップＳ７に進む。
【００８７】
即ち、メモリカード１３には、上述のＥＥＰＲＯＭ１７における場合と同様に、１つの無線ＬＡＮネットワークに関する無線ＬＡＮ情報だけでなく、複数の無線ＬＡＮネットワークに関する無線ＬＡＮ情報が記憶されている場合があり、ステップＳ６では、メモリカード１３に無線ＬＡＮ情報が記憶されているすべての無線ＬＡＮネットワークのネットワーク名が表示される。
【００８８】
ステップＳ６の処理後は、ステップＳ７に進み、制御ＣＰＵ１１は、接続する無線ＬＡＮネットワークの選択を要求するメッセージを、ＣＲＴ１４に表示させ、ステップＳ８に進む。ステップＳ８では、制御ＣＰＵ１１は、ユーザがリモコン等を操作することにより、接続する無線ＬＡＮネットワークを選択したかどうかを判定する。ステップＳ８において、接続する無線ＬＡＮネットワークの選択が行われていないと判定された場合、ステップＳ６に戻り、以下、同様の処理が繰り返される。
【００８９】
また、ステップＳ８において、接続する無線ＬＡＮネットワークの選択が行われたと判定された場合、ステップＳ９に進み、制御ＣＰＵ１１は、その選択が行われた、接続しようとしている無線ＬＡＮネットワーク（以下、適宜、接続先ネットワークという）が存在するか否かを判定する。ステップＳ９において、接続先ネットワークが存在しないと判定された場合、ステップＳ６に戻り、これにより、他の無線ＬＡＮネットワークの選択が、ユーザに促される。
【００９０】
また、ステップ９において、接続先ネットワークが存在すると判定された場合、ステップＳ１０に進み、制御ＣＰＵ１１は、接続先ネットワークに接続するのに必要な無線ＬＡＮ情報が、ＥＥＰＲＯＭ１７に記録（記憶）されているかどうかを判定する。ステップＳ１０において、接続先ネットワークに接続するのに必要な無線ＬＡＮ情報が、ＥＥＰＲＯＭ１７に記録されていると判定された場合、ステップＳ１１をスキップして、ステップＳ１２に進み、制御ＣＰＵ１１は、接続先ネットワークに接続するのに必要な無線ＬＡＮ情報を、ＥＥＰＲＯＭ１７から読み出して、ＲＡＭ１２に記憶させることで設定し、図７のステップＳ２１に進む。
【００９１】
また、ステップＳ１０において、接続先ネットワークに接続するのに必要な無線ＬＡＮ情報が、ＥＥＰＲＯＭ１７に記録されていないと判定された場合、ステップＳ１１に進み、制御ＣＰＵ１１は、接続先ネットワークに接続するのに必要な無線ＬＡＮ情報が、メモリカード１３に記録（記憶）されているかどうかを判定する。ステップＳ１１において、接続先ネットワークに接続するのに必要な無線ＬＡＮ情報が、メモリカード１３に記録されていないと判定された場合、ステップＳ６に戻り、これにより、他の無線ＬＡＮネットワークの選択が、ユーザに促される。
【００９２】
また、ステップＳ１１において、接続先ネットワークに接続するのに必要な無線ＬＡＮ情報が、メモリカード１３に記録されていると判定された場合、ステップＳ１２に進み、制御ＣＰＵ１１は、接続先ネットワークに接続するのに必要な無線ＬＡＮ情報を、メモリカード１３から読み出して、ＲＡＭ１２に記憶させることで設定し、図７のステップＳ２１に進む。
【００９３】
図７のステップＳ２１では、制御ＣＰＵ１１は、ＲＡＭ１２に設定された無線ＬＡＮ情報にしたがい、接続先ネットワークへの無線接続を開始する。即ち、制御ＣＰＵ１１は、無線ＭＡＣ層処理部９、無線物理層処理部８、およびアンテ７を介して、ＲＡＭ１２に設定された無線ＬＡＮ情報のうちのＳＳＩＤによって識別される無線ＬＡＮネットワーク（接続先ネットワーク）に、同じくＲＡＭ１２に設定された無線ＬＡＮ情報のうちの動作モードが表すｐｅｅｒ−ｔｏ−ｐｅｅｒまたはＩｎｆｒａｓｔｒｕｃｔｕｒｅモードで接続する。さらに、制御ＣＰＵ１１は、ＲＡＭ１２に設定された無線ＬＡＮ情報のうちの暗号キーによる暗号化を行いながら、接続先ネットワーク経由での通信を行う。
【００９４】
以上のようにして、無線ＬＡＮネットワークである接続先ネットワークに接続した後は、ＩＰプロトコル通信を行うための設定が行われる。
【００９５】
即ち、ステップＳ２１の処理後は、ステップＳ２２に進み、制御ＣＰＵ１１は、接続先ネットワーク内に、ＩＰアドレスの動的割り当てを行うＤＨＣＰ（Ｄｙｎａｍｉｃ　Ｈｏｓｔ　Ｃｏｎｆｉｇｕｒａｔｉｏｎ　Ｐｒｏｔｏｃｏｌ）サーバが存在するかどうかを判定する。
【００９６】
ステップＳ２２において、接続先ネットワーク内に、ＤＨＣＰサーバが存在すると判定された場合、ステップＳ２３に進み、制御ＣＰＵ１１は、ＤＨＣＰサーバから、接続先ネットワークのネットマスク、接続先ネットワークに参加している（接続先ネットワークを構成している）無線ＬＡＮ装置のＩＰアドレス、および自身に割り当てられるＩＰアドレスを、アンテナ７、無線物理層処理部８、および無線ＭＡＣ層処理部９を介して取得する。さらに、ステップＳ２３では、制御ＣＰＵ１１は、ＤＨＣＰサーバから取得したネットマスクと自身のＩＰアドレスを、ＲＡＭ１２に記憶させることで設定し、ステップＳ２８に進む。
【００９７】
ステップＳ２８では、制御ＣＰＵ１１は、接続先ネットワークを構成している無線ＬＡＮ装置（ここでは、図１のテレビジョン受像機も含む）のＩＰアドレスの一覧であるブラウズリストを、ステップＳ２３でＤＨＣＰサーバから取得したＩＰアドレスから作成し、ステップＳ２９に進む。
【００９８】
一方、ステップＳ２２において、接続先ネットワーク内に、ＤＨＣＰサーバが存在しないと判定された場合、ステップＳ２４に進み、制御ＣＰＵ１１は、メモリカード１３またはＥＥＰＲＯＭ１７に、接続先ネットワークを構成する無線ＬＡＮ装置のＩＰ情報（ＩＰアドレスとネットマスク）が記憶されているかどうかを判定する。ステップＳ２４において、メモリカード１３およびＥＥＰＲＯＭ１７のうちのいずれにも、接続先ネットワークを構成する無線ＬＡＮ装置のＩＰ情報が記憶されていないと判定された場合、即ち、図１のテレビジョン受像機が、過去に、接続先ネットワークに参加したことがなく、メモリカード１３およびＥＥＰＲＯＭ１７のうちのいずれにも、接続先ネットワークを構成する無線ＬＡＮ装置のＩＰ情報が記憶されていない場合、ステップＳ２５に進み、制御ＣＰＵ１１は、ＩＰ情報の取得を要求するメッセージを、ＣＲＴ１４に表示し、ステップＳ２に戻る。
【００９９】
ここで、ステップＳ２５において、ＣＲＴ１４に表示されるメッセージは、例えば、既存の無線ＬＡＮネットワークを構成している無線ＬＡＮ装置に、メモリカード１３を装着し、後述する無線ＬＡＮ情報処理を実行することにより、ＩＰ情報をメモリカード１３に記録することを要求するものであり、このメッセージを見たユーザは、例えば、図５に示したように、無線ＬＡＮ装置３２と３３によって無線ＬＡＮネットワークが構成されている場合には、テレビジョン受像機のスロット１０からメモリカード１３を抜き、無線ＬＡＮ装置３２のカードスロット３４（または無線ＬＡＮ装置３３のカードスロット３５）に、メモリカード１３を装着して、後述する無線ＬＡＮ情報処理を、無線ＬＡＮ装置３２（または３３）に行わせ、メモリカード１３に、ＩＰ情報を書き込む。そして、ユーザが、そのＩＰ情報が書き込まれたメモリカード１３を、テレビジョン受像機のカードスロット１０に装着することにより、ステップＳ２４では、メモリカード１３に、ＩＰ情報が記録されていると判定される。
【０１００】
なお、ステップＳ２５においてＣＲＴ１４に表示されるメッセージは、上述の図６のステップＳ５においてＣＲＴ１４に表示されるメッセージと同様に、既存の無線ＬＡＮネットワークを構成している無線ＬＡＮ装置に、メモリカード１３を装着し、無線ＬＡＮ情報処理を実行することにより、情報をメモリカード１３に記録することを要求するものである。既存の無線ＬＡＮネットワークを構成している無線ＬＡＮ装置に、メモリカード１３を装着し、無線ＬＡＮ情報処理を実行した場合、後述するように、メモリカード１３には、既存の無線ＬＡＮネットワークの無線ＬＡＮ情報とＩＰ情報が記録されるようになっており、従って、ユーザが、ステップＳ５においてＣＲＴ１４に表示されたメッセージにしたがい、既存の無線ＬＡＮネットワークを構成している無線ＬＡＮ装置に、メモリカード１３を装着し、無線ＬＡＮ情報処理を実行した場合には、メモリカード１３には、その既存の無線ＬＡＮネットワークの無線ＬＡＮ情報とＩＰ情報が記録される。即ち、この場合、メモリカード１３には、既存の無線ＬＡＮネットワークの無線ＬＡＮ情報とＩＰ情報が記録されているから、その既存の無線ＬＡＮネットワークが接続先ネットワークとして選択されているときには、ステップＳ２４において、メモリカード１３に、接続先ネットワークを構成する無線ＬＡＮ装置のＩＰ情報が記憶されていないと判定されることはない。
【０１０１】
一方、ステップＳ２４において、メモリカード１３またはＥＥＰＲＯＭ１７のうちのいずれかに、接続先ネットワークを構成する無線ＬＡＮ装置のＩＰ情報が記憶されていると判定された場合、即ち、図１のテレビジョン受像機が、過去に、接続先ネットワークに参加したことがあり、メモリカード１３またはＥＥＰＲＯＭ１７のうちのいずれかに、接続先ネットワークを構成する無線ＬＡＮ装置のＩＰ情報が記憶されている場合、ステップＳ２６に進み、制御ＣＰＵ１１は、メモリカード１３またはＥＥＰＲＯＭ１７から、接続先ネットワークのネットマスク、接続先ネットワークに参加している（接続先ネットワークを構成している）無線ＬＡＮ装置のＩＰアドレスを取得し、ステップＳ２７に進む。
【０１０２】
ステップＳ２７では、制御ＣＰＵ１１は、ＡｕｔｏＩＰの機能により、自身に割り当てられるＩＰアドレスおよびネットマスクを取得し、そのＩＰアドレスとネットマスクを、ＲＡＭ１２に記憶させることで設定し、ステップＳ２８に進む。
【０１０３】
即ち、ＥＥＰＲＯＭ１７は、例えば、ＬＡＮ上で使用されていないＩＰアドレスを取得するＡｕｔｏＩＰのプログラムを記憶しており、ステップＳ２７では、制御ＣＰＵ１１は、ＥＥＰＲＯＭ１７からＡｕｔｏＩＰのプログラムを読み出し、ＲＡＭ１２上に展開して実行することにより、自身に割り当てられるＩＰアドレスおよびネットマスクを取得する。
【０１０４】
ステップＳ２８では、制御ＣＰＵ１１は、接続先ネットワークを構成している無線ＬＡＮ装置（ここでは、図１のテレビジョン受像機も含む）のＩＰアドレスの一覧であるブラウズリストを、ステップＳ２６でメモリカード１３またはＥＥＰＲＯＭ１７から取得したＩＰアドレス、およびステップＳ２７でＡｕｔｏＩＰ機能によって取得したＩＰアドレスから作成し、ステップＳ２９に進む。
【０１０５】
ステップＳ２９では、制御ＣＰＵ１１は、ＩＰプロトコル通信による接続先ネットワークへの参加を開始し、即ち、接続先ネットワークを構成する無線ＬＡＮ装置とのＩＰプロトコル通信を開始し、ステップＳ３０に進む。なお、ＩＰプロトコル通信において、通信相手のＩＰアドレスは、ステップＳ２８で作成されたブラウズリストを参照することで認識される。
【０１０６】
ステップＳ３０では、制御ＣＰＵ１１が、接続先ネットワークとの接続に現在使用している無線ＬＡＮ情報およびＩＰ情報と同一の無線ＬＡＮ情報およびＩＰ情報が、ＥＥＰＲＯＭ１７に記憶されているかどうかを判定する。ステップＳ３０において、現在使用している無線ＬＡＮ情報およびＩＰ情報と同一の無線ＬＡＮ情報およびＩＰ情報が、ＥＥＰＲＯＭ１７に記憶されていると判定された場合、ステップＳ３１をスキップして、無線ＬＡＮ設定処理を終了する。
【０１０７】
また、ステップＳ３０において、現在使用している無線ＬＡＮ情報およびＩＰ情報と同一の無線ＬＡＮ情報およびＩＰ情報が、ＥＥＰＲＯＭ１７に記憶されていないと判定された場合、制御ＣＰＵ１１は、現在使用している無線ＬＡＮ情報およびＩＰ情報を、ＥＥＰＲＯＭ１７に書き込み、無線ＬＡＮ設定処理を終了する。
【０１０８】
ここで、ステップＳ３１において、接続先ネットワークとの接続に現在使用している無線ＬＡＮ情報およびＩＰ情報が、ＥＥＰＲＯＭ１７に書き込まれた後は、その後に接続先ネットワークに接続するときに、メモリカード１３は装着不要となる。
【０１０９】
次に、上述したように、図６のステップＳ５または図７のステップＳ２５において、ＣＲＴ１４に、メモリカード１３への、無線ＬＡＮ情報またはＩＰ情報の記録を要求するメッセージが表示された場合には、ユーザは、接続しようとしている、例えば、図５の既存の無線ＬＡＮネットワークを構成する無線ＬＡＮ装置３２のカードスロット３４（または無線ＬＡＮ装置３３のカードスロット３５）に、メモリカード１３を装着して、無線ＬＡＮ情報処理を、無線ＬＡＮ装置３２（または３３）に行わせる。
【０１１０】
そこで、以下、無線ＬＡＮ情報処理について説明するが、その前に、無線ＬＡＮ装置３２のハードウェア構成について説明する。なお、無線ＬＡＮ装置３３については、そのハードウェア構成は、無線ＬＡＮ装置３２と同様であるため、その説明は省略する。
【０１１１】
図９は、コンピュータである無線ＬＡＮ装置３２のハードウェア構成例を示している。
【０１１２】
コンピュータである無線ＬＡＮ装置３２には、プログラムをインストールすることで、各種の処理を行わせることができるが、このプログラムは、コンピュータに内蔵されている記録媒体としてのハードディスク１０５やＲＯＭ１０３に予め記録しておくことができる。
【０１１３】
あるいはまた、プログラムは、フレキシブルディスク、ＣＤ−ＲＯＭ（Ｃｏｍｐａｃｔ　Ｄｉｓｃ　Ｒｅａｄ　Ｏｎｌｙ　Ｍｅｍｏｒｙ）、ＭＯ（Ｍａｇｎｅｔｏ　Ｏｐｔｉｃａｌ）ディスク、ＤＶＤ（Ｄｉｇｉｔａｌ　Ｖｅｒｓａｔｉｌｅ　Ｄｉｓｃ）、磁気ディスク、半導体メモリなどのリムーバブル記録媒体１１１に、一時的あるいは永続的に格納（記録）しておくことができる。このようなリムーバブル記録媒体１１１は、いわゆるパッケージソフトウエアとして提供することができる。
【０１１４】
なお、プログラムは、上述したようなリムーバブル記録媒体１１１から無線ＬＡＮ装置３２にインストールする他、ダウンロードサイトから、ディジタル衛星放送用の人工衛星を介して、無線ＬＡＮ装置３２に無線で転送したり、ＬＡＮ、インターネットといったネットワークを介して、無線ＬＡＮ装置３２に有線で転送し、無線ＬＡＮ装置３２では、そのようにして転送されてくるプログラムを、通信部１０８で受信し、内蔵するハードディスク１０５にインストールすることができる。
【０１１５】
無線ＬＡＮ装置３２は、ＣＰＵ（Ｃｅｎｔｒａｌ　Ｐｒｏｃｅｓｓｉｎｇ　Ｕｎｉｔ）１０２を内蔵している。ＣＰＵ１０２には、バス１０１を介して、入出力インタフェース１１０が接続されており、ＣＰＵ１０２は、入出力インタフェース１１０を介して、ユーザによって、キーボードや、マウス、マイク等で構成される入力部１０７が操作等されることにより指令が入力されると、それにしたがって、ＲＯＭ（Ｒｅａｄ　Ｏｎｌｙ　Ｍｅｍｏｒｙ）１０３に格納されているプログラムを実行する。あるいは、また、ＣＰＵ１０２は、ハードディスク１０５に格納されているプログラム、衛星若しくはネットワークから転送され、通信部１０８で受信されてハードディスク１０５にインストールされたプログラム、またはドライブ１０９に装着されたリムーバブル記録媒体１１１から読み出されてハードディスク１０５にインストールされたプログラムを、ＲＡＭ（Ｒａｎｄｏｍ　Ａｃｃｅｓｓ　Ｍｅｍｏｒｙ）１０４にロードして実行する。これにより、ＣＰＵ１０２は、各種の処理を行う。そして、ＣＰＵ１０２は、その処理結果を、必要に応じて、例えば、入出力インタフェース１１０を介して、ＬＣＤ（Ｌｉｑｕｉｄ　Ｃｒｙｓｔａｌ　Ｄｉｓｐｌａｙ）やスピーカ等で構成される出力部１０６から出力、あるいは、通信部１０８から送信、さらには、ハードディスク１０５に記録等させる。
【０１１６】
なお、図９において、通信部１０８は、図１のアンテナ７、無線物理層処理部８、および無線ＭＡＣ層処理部９が有する機能を、少なくとも有している。
【０１１７】
また、図９において、ドライブ１０９は、メモリカード１３の着脱が可能なカードスロット３４（図５）を有している。
【０１１８】
ここで、無線ＬＡＮ情報処理を実行するプログラム（以下、無線ＬＡＮ情報処理プログラムという）は、例えば、ＣＤ−ＲＯＭなどのリムーバブル記録媒体１１１に記録され、図１のテレビジョン受像機に同梱されて、ユーザに販売されるものとする。従って、ユーザは、無線ＬＡＮ装置３２に、無線ＬＡＮ情報処理を行わせるには、リムーバブル記録媒体１１１を、ドライブ１０９に装着し、無線ＬＡＮ情報処理プログラムをインストールする必要がある。
【０１１９】
なお、無線ＬＡＮ情報処理プログラム、さらには、上述した図６および図７の無線ＬＡＮ設定処理を行うプログラム、およびＡｕｔｏＩＰのプログラムは、例えば、図３に点線で示すように、メモリカード１３のディレクトリ／Ｃｏｍｍｕｎｉｃａｔｉｏｎ／Ｗｉｒｅｌｅｓｓ／に記憶させておき、無線ＬＡＮ装置３２や図１のテレビジョン受像機にインストールするようにすることが可能である。
【０１２０】
次に、図１０のフローチャートを参照して、無線ＬＡＮ情報処理について説明する。
【０１２１】
なお、無線ＬＡＮ情報処理は、無線ＬＡＮ情報処理のプログラムをインストールして実行することができる、あらゆる装置に行わせることができる。但し、ここでは、例えば、無線ＬＡＮ装置３２が、無線ＬＡＮ情報処理を行うものとして、その説明を行う。
【０１２２】
無線ＬＡＮ装置３２では、まず最初に、ステップＳ４１において、ＣＰＵ１０２が、メニュー画面を、出力部１０６に表示させ、ステップＳ４２に進む。
【０１２３】
ここで、メニュー画面は、メモリカード１３に無線ＬＡＮ情報およびＩＰ情報を書き込む書き込み処理、メモリカード１３に書き込まれた無線ＬＡＮ情報およびＩＰ情報を読み出す読み出し処理、および現在設定されている無線ＬＡＮ情報およびＩＰ情報を変更する設定変更処理のいずれかを選択するためのもので、メニュー画面には、例えば、これらの書き込み処理、読み出し処理、設定変更処理それぞれを表すアイコンが表示される。
【０１２４】
ステップＳ４２では、ＣＰＵ１０２は、ユーザが入力部１０７を操作することにより、メニュー画面における書き込み処理か、または読み出し処理を選択したかどうかを判定する。ステップＳ４２において、書き込み処理または読み出し処理のうちのいずれかが選択されたと判定された場合、即ち、ユーザが入力部１０７によって、メニュー画面に表示された書き込み処理または読み出し処理をそれぞれ表すアイコンのうちのいずれかを操作した場合、ステップＳ４３に進み、ＣＰＵ１０２は、メモリカード１３を、ドライブ１０９に装着することを要求するメッセージを、出力部１０６に表示させ、ステップＳ４４に進む。
【０１２５】
ステップＳ４４では、ＣＰＵ１０２が、ドライブ１０９にメモリカード１３が装着されたか否かを判定する。ステップＳ４４において、メモリカード１３がドライブ１０９に装着されていないと判定された場合、ステップＳ４３に戻り、以下、同様の処理が繰り返される。
【０１２６】
また、ステップＳ４４において、メモリカード１３がドライブ１０９に装着されたと判定された場合、ステップＳ４５に進み、ＣＰＵ１０２は、ユーザが、書き込み処理または読み出し処理のうちのいずれを選択したのかを判定する。
【０１２７】
ステップＳ４５において、ユーザが書き込み処理を選択したと判定された場合、ステップＳ４６に進み、後述する書き込み処理が行われ、その後、無線ＬＡＮ情報処理を終了する。また、ステップＳ４５において、ユーザが読み出し処理を選択したと判定された場合、ステップＳ４７に進み、後述する読み出し処理が行われ、その後、無線ＬＡＮ情報処理を終了する。
【０１２８】
一方、ステップＳ４２において、書き込み処理および読み出し処理のうちのいずれかも選択されていないと判定された場合、ステップＳ４８に進み、ＣＰＵ１０２は、ユーザが入力部１０７を操作することにより、メニュー画面における設定変更処理を選択したかどうかを判定する。ステップＳ４８において、設定変更処理が選択されていないと判定された場合、ステップＳ４２に戻り、以下、同様の処理が繰り返される。
【０１２９】
また、ステップＳ４８において、設定変更処理が選択されたと判定された場合、即ち、ユーザが入力部１０７によって、メニュー画面に表示された設定変更処理を表すアイコンを操作した場合、ステップＳ４９に進み、後述する設定変更処理が行われ、その後、無線ＬＡＮ情報処理を終了する。
【０１３０】
次に、図１１のフローチャートを参照して、図１０のステップＳ４６で行われる書き込み処理について説明する。
【０１３１】
書き込み処理では、まず最初に、ステップＳ５１において、ＣＰＵ１０２は、無線ＬＡＮ装置３２に存在する無線ＬＡＮ情報とＩＰ情報を検索し、即ち、図９のハードウェア構成については、例えば、ＲＡＭ１０４とハードディスク１０５を対象に、無線ＬＡＮ情報とＩＰ情報を検索し、ステップＳ５２に進む。
【０１３２】
ステップＳ５２では、ＣＰＵ１０２は、ステップＳ５１の検索結果に基づき、無線ＬＡＮ装置３２に、無線ＬＡＮ情報とＩＰ情報が存在するかどうかを判定する。ステップＳ５２において、無線ＬＡＮ装置３２に、無線ＬＡＮ情報とＩＰ情報が存在しないと判定された場合、ステップＳ５３に進み、ＣＰＵ１０２は、無線ＬＡＮ情報とＩＰ情報が存在しない旨のメッセージを、出力部１０６に表示させ、リターンする。
【０１３３】
また、ステップＳ５２において、無線ＬＡＮ装置３２に、無線ＬＡＮ情報とＩＰ情報が存在すると判定された場合、ステップＳ５４に進み、ＣＰＵ１０２は、無線ＬＡＮ装置３２に存在する無線ＬＡＮ情報とＩＰ情報を取得し、即ち、ＲＡＭ１０４またはハードディスク１０５に記憶されている無線ＬＡＮ情報とＩＰ情報を読み出し、ステップＳ５５に進む。
【０１３４】
ステップＳ５５では、ＣＰＵ１０２は、ドライブ１０９に装着されているメモリカード１３のディレクトリ／Ｃｏｍｍｕｎｉｃａｔｉｏｎ／Ｗｉｒｅｌｅｓｓ／（図３）に、ステップＳ５４で読み出した無線ＬＡＮ情報を、無線ＬＡＮ情報ファイルとして書き込み、ステップＳ５６に進む。ステップＳ５６では、ＣＰＵ１０２は、ドライブ１０９に装着されているメモリカード１３のディレクトリ／Ｃｏｍｍｕｎｉｃａｔｉｏｎ／Ｗｉｒｅｌｅｓｓ／（図３）に、ステップＳ５４で読み出したＩＰ情報を、ＩＰ情報ファイルとして書き込み、リターンする。
【０１３５】
次に、図１２のフローチャートを参照して、図１０のステップＳ４７で行われる読み出し処理について説明する。
【０１３６】
読み出し処理では、まず最初に、ステップＳ６１において、ＣＰＵ１０２が、ドライブ１０９に装着されたメモリカード１３に、無線ＬＡＮ情報およびＩＰ情報が記録されているかどうかを判定する。
【０１３７】
ステップＳ６１において、メモリカード１３に、無線ＬＡＮ情報およびＩＰ情報が記録されていないと判定された場合、ステップＳ６２に進み、ＣＰＵ１０２は、無線ＬＡＮ情報およびＩＰ情報が記録されていない旨のメッセージを、出力部１０６に表示させ、リターンする。
【０１３８】
また、ステップＳ６１において、メモリカード１３に、無線ＬＡＮ情報およびＩＰ情報が記録されていると判定された場合、即ち、メモリカード１３のディレクトリ／Ｃｏｍｍｕｎｉｃａｔｉｏｎ／Ｗｉｒｅｌｅｓｓ／（図３）に、無線ＬＡＮ情報ファイルおよびＩＰ情報ファイルが存在する場合、ステップＳ６３に進み、ＣＰＵ１０２は、メモリカード１３の無線ＬＡＮ情報ファイルから、無線ＬＡＮ情報を読み出し、例えば、ＲＡＭ１０４またはハードディスク１０５に記録して、ステップＳ６４に進む。
【０１３９】
ステップＳ６４では、ＣＰＵ１０２は、メモリカード１３のＩＰ情報ファイルから、ＩＰ情報を読み出し、例えば、ＲＡＭ１０４またはハードディスク１０５に記録して、リターンする。
【０１４０】
なお、無線ＬＡＮ情報処理を実行している無線ＬＡＮ装置３２では、ステップＳ６３とＳ６４でそれぞれ読み出された無線ＬＡＮ情報とＩＰ情報に基づいて、無線ＬＡＮ通信のための設定を行うことが可能である。
【０１４１】
次に、図１３のフローチャートを参照して、図１０のステップＳ４９で行われる設定変更処理について説明する。
【０１４２】
設定変更処理では、まず最初に、ステップＳ７１において、ＣＰＵ１０２は、無線ＬＡＮ装置３２に現在設定されている無線ＬＡＮ情報を認識し、その無線ＬＡＮ情報を表示した画面（以下、適宜、コントロールパネルという）を生成する。さらに、ステップＳ７１では、ＣＰＵ１０２は、コントロールパネルを、出力部１０６に表示させ、ステップＳ７２に進む。
【０１４３】
ステップＳ７２では、ＣＰＵ１０２は、ユーザが入力部１０７を操作することにより、コントロールパネルに表示された無線ＬＡＮ情報のうちのＳＳＩＤを変更する変更入力があったかどうかを判定する。ステップＳ７２において、ＳＳＩＤに対する変更入力があったと判定された場合、ステップＳ７３に進み、ＣＰＵ１０２は、その変更入力に対応して、コントロールパネルに表示されたＳＳＩＤを変更し、ステップＳ７４に進む。
【０１４４】
また、ステップＳ７２において、ＳＳＩＤに対する変更入力がなかったと判定された場合、ステップＳ７３をスキップして、ステップＳ７４に進み、ＣＰＵ１０２は、ユーザが入力部１０７を操作することにより、コントロールパネルに表示された無線ＬＡＮ情報のうちの暗号キーを変更する変更入力があったかどうかを判定する。ステップＳ７４において、暗号キーに対する変更入力があったと判定された場合、ステップＳ７５に進み、ＣＰＵ１０２は、その変更入力に対応して、コントロールパネルに表示された暗号キーを変更し、ステップＳ７６に進む。
【０１４５】
また、ステップＳ７４において、暗号キーに対する変更入力がなかったと判定された場合、ステップＳ７５をスキップして、ステップＳ７６に進み、ＣＰＵ１０２は、ユーザが入力部１０７を操作することにより、コントロールパネルに表示された無線ＬＡＮ情報のうちの動作モードを変更する変更入力があったかどうかを判定する。ステップＳ７６において、動作モードに対する変更入力があったと判定された場合、ステップＳ７７に進み、ＣＰＵ１０２は、その変更入力に対応して、コントロールパネルに表示された動作モードを変更し、ステップＳ７８に進む。
【０１４６】
また、ステップＳ７６において、動作モードに対する変更入力がなかったと判定された場合、ステップＳ７７をスキップして、ステップＳ７８に進み、ＣＰＵ１０２は、ユーザが入力部１０７を操作することにより、コントロールパネルに表示された無線ＬＡＮ情報の変更を確定する確定入力があったかどうかを判定する。
【０１４７】
ステップＳ７８において、確定入力がないと判定された場合、ステップＳ７２に戻り、以下、同様の処理が繰り返される。
【０１４８】
また、ステップＳ７８において、確定入力があったと判定された場合、ステップＳ７９に進み、ＣＰＵ１０２は、ステップＳ７３，Ｓ７５、またはＳ７７で変更の行われた後の無線ＬＡＮ情報を、不揮発性の記録媒体である、例えばハードディスク１０５に記録し、さらに、その変更後の無線ＬＡＮ情報にしたがい、無線ＬＡＮ接続のための設定を変更して、ステップＳ８０に進む。
【０１４９】
ここで、設定変更処理が、図１のテレビジョン受像機で行われる場合には、ステップＳ７９において、変更後の無線ＬＡＮ情報は、例えば、ＥＥＰＲＯＭ１７に記録される。
【０１５０】
ステップＳ８０では、ＣＰＵ１０２は、ドライブ１０９に、メモリカード１３が装着されているかどうか判定し、装着されていないと判定した場合、ステップＳ８１に進み、ＣＰＵ１０２は、ドライブ１０９へのメモリカード１３の装着を要求するメッセージを、出力部１０６に表示させ、ステップＳ８０に戻る。
【０１５１】
また、ステップＳ８０において、ドライブ１０９に、メモリカード１３が装着されていると判定された場合、ステップＳ８２に進み、ＣＰＵ１０２は、メモリカード１３に、変更後の無線ＬＡＮ情報を書き込み、リターンする。
【０１５２】
なお、例えば、無線ＬＡＮ装置３２において、上述の設定変更処理を行い、メモリカード１３に、変更後の無線ＬＡＮ情報を書き込んだ後に、図１のテレビジョン受像機において、そのメモリカード１３を、カードスロット１０に装着し、図１２の読み出し処理を行うことで、変更後の無線ＬＡＮ情報を、図１のテレビジョン受像機に設定することができる。また、図１のテレビジョン受像機において、設定変更処理を行うことで、無線ＬＡＮ情報を、容易に変更することができる。
【０１５３】
以上のように、ユーザは、メモリカード１３を、既存の無線ＬＡＮネットワークを構成しているいずれかの無線ＬＡＮ装置に装着することで、その既存の無線ＬＡＮネットワークに接続するために必要な無線ＬＡＮ情報とＩＰ情報を、メモリカード１３に記録することができる。そして、図１のテレビジョン受像機では、メモリカード１３に記録されている無線ＬＡＮ情報、さらには、ＩＰ情報を読み出し、無線ＬＡＮ接続のための必要な設定を行うようにしたので、ユーザは、特別な知識を有していなくても、メモリカード１３をカードスロット１０に装着することで、面倒な作業をすることなく（ユーザに煩わしさを感じさせることなく）、所望の無線ＬＡＮネットワークに接続することが可能となる。
【０１５４】
また、例えば、図１のテレビジョン受像機において、図１３の設定変更処理を行うことにより、無線ＬＡＮ情報を変更した場合には、その変更後の無線ＬＡＮ情報が記録されたメモリカード１３を、他の無線ＬＡＮ装置としての、例えば、無線ＬＡＮ装置３２や３３（図５）に装着して、図１２の読み出し処理を行うことで、図１のテレビジョン受像機と、無線ＬＡＮ装置３２や３３によって無線ＬＡＮネットワークを構成するのに必要な情報を、容易に設定することができる。
【０１５５】
ここで、本明細書において、制御ＣＰＵ１１（図１）や、ＣＰＵ１０２（図９）に各種の処理を行わせるためのプログラムを記述する処理ステップは、必ずしもフローチャートとして記載された順序に沿って時系列に処理する必要はなく、並列的あるいは個別に実行される処理（例えば、並列処理あるいはオブジェクトによる処理）も含むものである。
【０１５６】
なお、本発明は、無線ＬＡＮだけでなく、無線と有線が混合したＬＡＮにも適用可能である。また、本発明は、ＬＡＮと呼ばれる通信（ＩＥＥＥ８０２．１１の規格に準拠した通信）以外の無線通信にも適用可能である。さらに、本発明は、テレビジョン受像機以外の、無線通信機能を有する、あらゆる装置に適用可能である。
【０１５７】
また、メモリカード１３については、あらかじめ所定の無線ＬＡＮ情報を記録しておいたメモリカード１３を、例えば、図１のテレビジョン受像機に同梱して販売することが可能である。
【０１５８】
【発明の効果】
以上の如く、本発明によれば、ユーザに煩わしさを感じさせることなく、無線通信を行う装置間において無線通信を行うことが可能となる。
【図面の簡単な説明】
【図１】本発明を適用したテレビジョン受像機の一実施の形態の構成例を示すハードウェアのブロック図である。
【図２】本発明を適用したテレビジョン受像機の一実施の形態の構成例を示す平面図である。
【図３】メモリカード１３の論理構成を示す図である。
【図４】無線ＬＡＮ情報ファイルの内容を示す図である。
【図５】テレビジョン受像機を、既存の無線ＬＡＮネットワークに接続する様子を示す図である。
【図６】無線ＬＡＮ設定処理を説明するフローチャートである。
【図７】無線ＬＡＮ設定処理を説明するフローチャートである。
【図８】テレビジョン受像機によるメッセージの出力例を示す図である。
【図９】無線ＬＡＮ装置３２（３３）のハードウェア構成例を示すブロック図である。
【図１０】無線ＬＡＮ情報処理を説明するフローチャートである。
【図１１】書き込み処理を説明するフローチャートである。
【図１２】読み出し処理を説明するフローチャートである。
【図１３】設定変更処理を説明するフローチャートである。
【符号の説明】
１　アンテナ，　２　ＴＶチューナ，　３　復調部，　４　デマルチプレクサ，５　画像復号部，　６　音声復号部，　７　アンテナ，　８　無線物理層処理部，　９　無線ＭＡＣ層処理部，　１０　カードスロット，　１１　制御ＣＰＵ，　１２　ＲＡＭ，　１３　メモリカード，　１４　ＣＲＴ，　１５　Ｄ／Ａ変換部，　１６　スピーカ，　１７　ＥＥＰＲＯＭ，　３１　無線ＬＡＮネットワーク，　３２，３３　無線ＬＡＮ装置，　３４，３５　カードスロット，　１０１　バス、　１０２　ＣＰＵ、１０３　ＲＯＭ、　１０４　ＲＡＭ、　１０５　ハードディスク、　１０６　出力部、　１０７　入力部、　１０８　通信部、　１０９　ドライブ、　１１０　入出力インタフェース、　１１１　リムーバブル記録媒体
【図１】
2004096146.tif 000003
【図２】
2004096146.tif 000004
【図３】
2004096146.tif 000005
【図４】
2004096146.tif 000006
【図５】
2004096146.tif 000007
【図６】
2004096146.tif 000008
【図７】
2004096146.tif 000009
【図８】
2004096146.tif 000010
【図９】
2004096146.tif 000011
【図１０】
2004096146.tif 000012
【図１１】
2004096146.tif 000013
【図１２】
2004096146.tif 000014
【図１３】
2004096146.tif 000015